【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
負のフィードバックループと電流コンベアー回路とを有してなり、
前記フィードバックループがレプリカ電圧と所定の基準電圧との比較に応じて供給電流を変更し、
前記電流コンベアー回路がレプリカノードに接続されており、前記レプリカノードが前記レプリカ電圧と出力電圧とを出力ノードにおいて供給し、前記電流コンベアー回路が前記レプリカ電圧と出力電圧とを相互に反映させるべく動作する
ことを特徴とする電圧調整回路。
【請求項２】
前記電流コンベアー回路がレプリカレッグを有しており、前記出力ノードに接続された出力レッグと並列にレプリカレッグが前記レプリカノードに接続されていることを特徴とする請求項１に記載の回路。
【請求項３】
前記レプリカレッグが少なくとも２個のトランジスターを有しており、前記トランジスターが直列に配列されたソース・ドレイン経路を有しており、少なくとも１個のトランジスターのゲートが前記出力レッグに接続されており、前記出力レッグが少なくとも２個のトランジスターを有しており、前記トランジスターが直列に配列されたソース・ドレイン経路を有しており、少なくとも１個のトランジスターのゲートが前記レプリカレッグに接続されていることを特徴とする請求項２に記載の回路。
【請求項４】
前記レプリカレッグが第１・２のｎ−チャンネルトランジスターを有しており、前記第１のｎ−チャンネルトランジスターがそのドレインに接続されたゲートを有しており、前記第２のｎ−チャンネルトランジスターが前記第１のｎ−チャンネルトランジスターのソースに接続されたドレインと前記レプリカノードに接続されたソースとを有しており、前記出力レッグが第３のｎ−チャンネルトランジスターと第４のｎ−チャンネルトランジスターとゲートとソースとを有しており、前記第３のｎ−チャンネルトランジスターが前記第１のｎ−チャンネルトランジスターのドレインに接続されたゲートを有しており、前記第４のｎ−チャンネルトランジスターが前記第３のｎ−チャンネルトランジスターのソースに接続されたドレインを有しており、前記ゲートが前記第２のｎ−チャンネルトランジスターのドレインに接続されており、前記ソースが出力ノードに接続されており、第１〜第４のトランジスターが相互に整合していることを特徴とする請求項３に記載の電圧調整器。
【請求項５】
さらに供給部分が設けられて、前記負のフィードバックループに反応して前記電流コンベアー回路に電流を供給することを特徴とする請求項１に記載の電圧調整器。
【請求項６】
前記電流コンベアー回路が少なくとも第１・２と第３・４のトランジスターを有しており、前記第１・２のトランジスターが直列に配列されてレプリカレッグを構成しており、前記第３・４のトランジスターが直列に配列されて出力レッグを構成しており、前記供給部分が少なくとも第１・２の供給トランジスターを有しており、前記第１の供給トランジスターが前記レプリカレッグと直列のソース・ドレイン経路と前記負のフィードバックループに接続されたゲートとを有しており、前記第２の供給トランジスターが前記出力レッグと直列のソース・ドレイン経路と前記負のフィードバックループに接続されたゲートとを有していることを特徴とする請求項５に記載の電圧調整器。
【請求項７】
前記第１・２の供給トランジスターが前記電流コンベアー器の第１〜４のトランジスターより低いしきい値電圧を有していることを特徴とする請求項６に記載の電圧調整器。
【請求項８】
前記第１・２の供給トランジスターが高供給電圧に接続されてかつそれぞれのゲートにおいて高供給電圧より高いポンプ電圧を受けるドレインを有していることを特徴とする請求項６に記載の電圧調整器。
【請求項９】
さらに前記電流コンベアー回路の第１〜４のトランジスターが第１のサイズを有しており、前記供給部分の第１の供給トランジスターが前記第１のサイズであり、前記供給部分の第２の供給トランジスターが前記第１のサイズよりｎ倍大きい第２のサイズを有しており、前記出力レッグと並列にソースドレイン経路を有する負荷供給トランジスターが前記第１のサイズより（ｎ−１）倍大きなサイズを有していることを特徴とする請求項６に記載の電圧調整器。
【請求項１０】
電流コンベアー回路と少なくとも１個の負荷供給トランジスターを有しており、
前記電流コンベアー回路がレプリカ電圧を供給するレプリカレッグと前記レプリカレッグと並列に配列された出力レッグとを有しており、前記レプリカレッグが調整された出力電圧を供給し、前記レプリカレッグと出力レッグとがクロス結合されたアクティブ素子を有しており、前記素子が前記レプリカ電圧と出力電圧とを相互に追尾させる正のフィードバックを与え、
前記負荷供給トランジスターが前記出力レッグと並列に配列され、かつ前記出力レッグの電流に従う前記出力ノードへの電流を供給する
ことを特徴とする電圧調整回路。
【請求項１１】
前記レプリカレッグが第２のトランジスターのソースに接続されたドレインを具えた第１のトランジスターを有しており、前記出力レッグが第４のトランジスターと直列に配列された第３のトランジスターを有しており、前記第４のトランジスターと少なくとも１個の負荷供給トランジスターとが前記第１・２トランジスター間のソース−ドレイン接続に接続されたゲートを有していることを特徴とする請求項１０に記載の回路。
【請求項１２】
電流供給部分と演算増幅器とを有しており、前記電流供給部分が少なくとも第１・２の電流供給素子を有しており、前記第１の電流供給素子が前記レプリカレッグに電流を供給し、前記第２の電流供給素子が前記出力レッグと少なくとも１個の負荷供給トランジスターに電流を供給し、前記演算増幅器が前記電流供給部分に接続された出力端と、基準電圧に接続された非反転入力端と、前記レプリカノードに接続された反転入力端とを有していることを特徴とする請求項１０に記載の回路。
【請求項１３】
さらに第１・２のバイパス素子が設けられており、前記第１のバイパス素子は前記レプリカレッグの動作をバイパスさせるべく励起されたときに低インピーダンス経路を与える前記レプリカレッグと並列になっており、前記第２のバイパス素子は前記出力レッグの動作をバイパスさせるべく励起されたときに低インピーダンス経路を与える前記出力レッグと並列になっていることを特徴とする請求項１０に記載の回路。
【請求項１４】
前記電圧調整回路がメモリーセルアレイに電力供給電圧を供給し、前記第１・２のバイパス素子がデータ保持モードで励起されることを特徴とする請求項１３に記載の回路。
【請求項１５】
負のフィードバックループと電流コンベアー回路とを有しており、
レプリカノード電圧と基準電圧との差に応じて前記フィードバックループが前記レプリカノードに供給された電流を変更して前記レプリカノード電圧の低周波数調整を与え、
前記電流コンベアー回路が電圧ミラー回路を有しており、
前記回路が出力ノード電圧を前記レプリカノード電圧に実質的に従わせて前記出力ノード電圧の高周波数調整を与える
ことを特徴とする電圧調整回路。
【請求項１６】
前記電圧ミラー回路がレプリカレッグと出力レッグとを有しており、前記レプリカレッグが少なくともドレインに接続されたゲートを具えた第１のトランジスターと第１のトランジスターのソースに接続されたドレインと前記レプリカノードに接続されたドレインとを具えた第２のトランジスターとを有しており、前記出力レッグが第３のトランジスターと第４のトランジスターとを有しており、前記第３のトランジスターが前記第１のトランジスターのゲートに接続されたゲートを有しており、前記第４のトランジスターが前記第３のトランジスターのソースおよび前記第２のトランジスターのゲートに接続されたドレインと、前記第２のトランジスターのドレインに接続されたゲートと、前記出力ノードに接続されたドレインとを有していることを特徴とする請求項１５に記載の回路。
【請求項１７】
前記電流コンベアー器が４個以下のトランジスターを有していることを特徴とする請求項１５に記載の回路。
【請求項１８】
前記負のフィードバックループが増幅出力端を具えた演算増幅器と、前記演算増幅器の出力に応じて前記電流コンベアー器に供給される電流を調整する電流供給部分と、直列に配列されたソース・ドレイン経路を具えた少なくとも２個のトランジスターを有したレプリカレッグと、前記レプリカレッグにより供給された電流に基づいて前記レプリカノード電圧を発生するレプリカ負荷とを有してなり、前記演算増幅器が前記レプリカ負荷に接続された反転入力端と基準電圧に接続された非反転入力端とを有していることを特徴とする請求項１５に記載の回路。
【請求項１９】
前記第１・２・３または４のトランジスターの内の２個が他のトランジスターよりも低いしきい値電圧を有していることを特徴とする請求項１６に記載の回路。
【請求項２０】
前記電流コンベアー器がレプリカレッグを有しており、前記レプリカレッグが出力ノードに電流を供給する出力レッグと並列な前記レプリカノードに電流を供給し、負荷供給素子が前記出力レッグにより供給される電流に比例する電流を供給する前記出力レッグと並列であることを特徴とする請求項１５に記載の回路。